(57)【特許請求の範囲】
【請求項１】
第１の通信方法で通信する第１の通信部と第２の通信方法で通信する第２の通信部とを備える通信装置であって、
前記第２の通信部は、
前記第１の通信方法によるポーリング電文に対する応答の電文である応答電文が予め記憶される応答電文記憶部、
前記第２の通信方法によるポーリング電文を外部に送出し、当該ポーリング電文に対する応答の電文を外部から受信したなら、前記第１の通信部から第１の通信方法によるポーリング電文を既に受信しているなら、前記応答電文記憶部から応答電文を読み出す中継処理部を有する第１の中継部と、
当該応答電文を前記第１の通信部へ送信する第２の中継部と
を備えることを特徴とする通信装置。
【請求項２】
請求項１記載の通信装置とともに使用される通信装置であって、
第１の通信方法で通信する第１の通信部と第２の通信方法で通信する第２の通信部とを備え、
前記第２の通信部は、
前記第１の通信方法によるポーリング電文が予め記憶されるポーリング電文記憶部、
前記第２の通信方法によるポーリング電文を外部から受信したなら、当該ポーリング電文に対する応答の電文を外部に送出し、前記ポーリング電文記憶部からポーリング電文を読み出す中継処理部を有する第１の中継部と、
当該ポーリング電文を前記第１の通信部へ送信する第２の中継部と
を備えることを特徴とする通信装置。
【請求項３】
第１の通信方法で通信する第１の通信部と第２の通信方法で通信する第２の通信部とを備える通信装置であって、
前記第２の通信部は、
前記第１の通信方法によるポーリング電文に対する応答の電文である応答電文が予め記憶される応答電文記憶部、
前記第２の通信方法で使用される当該通信装置の装置識別子が予め記憶される装置識別子記憶部、
前記第１の通信方法で使用される通信相手の装置識別子並びに前記第２の通信方法で使用される当該通信相手の装置識別子を含む装置識別子情報が予め記憶される装置識別子情報記憶部、
前記装置識別子記憶部から装置識別子を読み出し、前記第２の通信方法によるポーリング電文を作成し、当該ポーリング電文に当該装置識別子を含ませ、当該装置識別子を含ませたポーリング電文を外部に送出する中継処理部、
当該ポーリング電文に対する応答の電文を外部から受信したなら、当該応答の電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記応答電文記憶部から応答電文を読み出し、当該応答電文に、前記装置識別子情報から読み出した装置識別子を含ませる応答電文作成部を有する第１の中継部と、
前記第１の通信部から第１の通信方法によるポーリング電文を既に受信している場合において、当該応答電文を前記第１の通信部へ送信する第２の中継部と
を備えることを特徴とする通信装置。
【請求項４】
請求項３記載の通信装置とともに使用される通信装置であって、
第１の通信方法で通信する第１の通信部と第２の通信方法で通信する第２の通信部とを備え、
前記第２の通信部は、
前記第１の通信方法によるポーリング電文が予め記憶されるポーリング電文記憶部、
前記第２の通信方法で使用される当該通信装置の装置識別子が予め記憶される装置識別子記憶部、
前記第１の通信方法で使用される通信相手の装置識別子並びに前記第２の通信方法で使用される当該通信相手の装置識別子を含む装置識別子情報が予め記憶される装置識別子情報記憶部、
前記第２の通信方法によるポーリング電文を外部から受信したなら、前記装置識別子記憶部から装置識別子を読み出し、前記第２の通信方法によるポーリング電文に対する応答の電文を作成し、当該応答の電文に当該装置識別子を含ませ、当該装置識別子を含ませた応答の電文を外部に送出する中継処理部、
当該ポーリング電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記ポーリング電文記憶部からポーリング電文を読み出し、当該ポーリング電文に、前記装置識別子情報から読み出した装置識別子を含ませるポーリング電文作成部を有する第１の中継部と、
当該ポーリング電文を前記第１の通信部へ送信する第２の中継部と
を備えることを特徴とする通信装置。
【請求項５】
第１の通信方法で通信する第１の通信部と第２の通信方法で通信する第２の通信部とを備える通信装置の動作方法であって、
前記第２の通信部は、前記第１の通信方法によるポーリング電文に対する応答の電文である応答電文が予め記憶される応答電文記憶部を備え、
前記動作方法は、
前記第２の通信部が、前記第２の通信方法によるポーリング電文を外部に送出し、当該ポーリング電文に対する応答の電文を外部から受信したなら、前記第１の通信部から第１の通信方法によるポーリング電文を既に受信しているなら、前記応答電文記憶部から応答電文を読み出し、前記第１の通信部へ送信する
ことを特徴とする通信装置の動作方法。
【請求項６】
請求項１記載の通信装置とともに使用される通信装置の動作方法であって、
当該通信装置は、第１の通信方法で通信する第１の通信部と第２の通信方法で通信する第２の通信部とを備え、
前記第２の通信部は、前記第１の通信方法によるポーリング電文が予め記憶されるポーリング電文記憶部を備え、
前記動作方法は、
前記第２の通信部が、前記第２の通信方法によるポーリング電文を外部から受信したなら、当該ポーリング電文に対する応答の電文を外部に送出し、前記ポーリング電文記憶部からポーリング電文を読み出し、前記第１の通信部へ送信する
ことを特徴とする通信装置の動作方法。
【請求項７】
第１の通信方法で通信する第１の通信部と第２の通信方法で通信する第２の通信部とを備える通信装置の動作方法であって、
前記第２の通信部は、
前記第１の通信方法によるポーリング電文に対する応答の電文である応答電文が予め記憶される応答電文記憶部、
前記第２の通信方法で使用される当該通信装置の装置識別子が予め記憶される装置識別子記憶部、
前記第１の通信方法で使用される通信相手の装置識別子並びに前記第２の通信方法で使用される当該通信相手の装置識別子を含む装置識別子情報が予め記憶される装置識別子情報記憶部を有し、
前記動作方法は、
前記第２の通信部が、前記装置識別子記憶部から装置識別子を読み出し、前記第２の通信方法によるポーリング電文を作成し、当該ポーリング電文に当該装置識別子を含ませ、当該装置識別子を含ませたポーリング電文を外部に送出し、
前記第２の通信部が、当該ポーリング電文に対する応答の電文を外部から受信したなら、当該応答の電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記応答電文記憶部から応答電文を読み出し、当該応答電文に、前記装置識別子情報から読み出した装置識別子を含ませ、
前記第２の通信部が、前記第１の通信部から第１の通信方法によるポーリング電文を既に受信している場合において、当該応答電文を前記第１の通信部へ送信する
ことを特徴とする通信装置の動作方法。
【請求項８】
請求項３記載の通信装置とともに使用される通信装置の動作方法であって、
当該通信装置は、第１の通信方法で通信する第１の通信部と第２の通信方法で通信する第２の通信部とを備え、
前記第２の通信部は、
前記第１の通信方法によるポーリング電文が予め記憶されるポーリング電文記憶部、
前記第２の通信方法で使用される当該通信装置の装置識別子が予め記憶される装置識別子記憶部、
前記第１の通信方法で使用される通信相手の装置識別子並びに前記第２の通信方法で使用される当該通信相手の装置識別子を含む装置識別子情報が予め記憶される装置識別子情報記憶部を有し、
前記動作方法は、
前記第２の通信部が、前記第２の通信方法によるポーリング電文を外部から受信したなら、前記装置識別子記憶部から装置識別子を読み出し、前記第２の通信方法によるポーリング電文に対する応答の電文を作成し、当該応答の電文に当該装置識別子を含ませ、当該装置識別子を含ませた応答の電文を外部に送出し、
前記第２の通信部が、当該ポーリング電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記ポーリング電文記憶部からポーリング電文を読み出し、当該ポーリング電文に、前記装置識別子情報から読み出した装置識別子を含ませ、
前記第２の通信部が、当該ポーリング電文を前記第１の通信部へ送信する
ことを特徴とする通信装置の動作方法。
【発明の詳細な説明】
【技術分野】
【０００１】
本発明は、通信装置およびその動作方法に関するものである。
【背景技術】
【０００２】
近年にあっては、非接触ＩＣカードを使った入退室システムや改札システムが増えている。
【０００３】
これらのシステムは、ポーリングコマンドを作成する上位装置（例えば入退管理サーバ）と、ポーリングコマンドを所定の通信方法によるポーリング電文へ変換し送出する中継装置（例えばＩＣカードＲＷ）と、任意の通信手段と通信する変換部および入退時に必要な識別情報を管理する識別情報管理部を有するモバイル端末（例えばＩＣカード）とを備える構成になっており、上位装置がポーリングコマンドを中継装置へ送り、中継装置はそれをトリガーにして任意の間隔でポーリング電文を繰り返し送出し、モバイル端末を検知している。
【先行技術文献】
【非特許文献】
【０００４】
【非特許文献１】ワイヤレスカードシステムの応用  技術資料  ＡＲＩＢ  ＴＲ−Ｔ１０  １．０版、Ｐ．１３、［ｏｎｌｉｎｅ］、社団法人  電波産業会、［平成２２年６月１４日検索］、インターネット＜ＵＲＬ：  ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／３−ＴＲ−Ｔ１０ｖ１＿０．ｐｄｆ＞
【発明の概要】
【発明が解決しようとする課題】
【０００５】
図１０は、従来の通信システムの動作を示すシーケンス図であり、通信装置１Ａ、２Ａの間の距離が長く通信範囲外の場合の様子を示すものである。
【０００６】
通信装置１Ａでは、通信部１２が既存の通信部、通信部１３Ａが新たな通信部である。また、通信装置２Ａでは、通信部２２が既存の通信部、通信部２３Ａが新たな通信部である。
【０００７】
情報処理部１１は、通信装置１Ａが起動されると、通信部１２にポーリングコマンドを送信し（Ｔ１０１）、通信部１２は、ポーリングコマンドを受信したら、通信方法Ｍによるポーリング電文を作成し、通信部１３Ａに送信する（Ｔ１０２）。
【０００８】
通信部１３Ａは、通信方法Ｍによりポーリング電文を受信したなら、通信方法Ｎによるポーリング電文を作成し、通信方法Ｎにより外部に送出する（Ｔ１０３）。
【０００９】
通信装置１Ａ、２Ａの間の距離が長く通信範囲外であると、通信部１３Ａからの通信方法Ｎによるポーリング電文は通信装置２Ａに届かず、通信部１３Ａは、やがてタイムアウトとなる。
【００１０】
通信部１２は、通信部１３Ａからの応答がないので、タイムアウトとポーリング電文の送信を繰り返す。
【００１１】
図１１は、従来の通信システムの動作を示すシーケンス図であり、通信装置１Ａ、２Ａの間の距離が短く通信範囲内の場合の様子を示すものである。
【００１２】
情報処理部１１は、通信装置１Ａが起動されると、通信部１２にポーリングコマンドを送信し（Ｔ１０１）、通信部１２は、ポーリングコマンドを受信したら、通信方法Ｍによるポーリング電文を作成し、通信部１３Ａに送信する（Ｔ１０２）。
【００１３】
通信部１３Ａは、通信方法Ｍによりポーリング電文を受信したなら、通信方法Ｎによるポーリング電文を作成し、通信方法Ｎにより外部に送出する（Ｔ１０３）。
【００１４】
通信部２３Ａは、通信方法Ｎによりポーリング電文を受信したなら、ポーリング電文に対する応答の電文を作成し、応答の電文を通信方法Ｎにより外部に送出する（Ｔ１１１）。
【００１５】
通信部１３Ａは、通信方法Ｎにより応答の電文を受信したなら、それが肯定応答の電文であることを条件に、応答の送信元つまり通信部２３Ａとで通信方法Ｎによる通信が可能となるように準備を行う。
【００１６】
通信部１３Ａは、通信部２３Ａとの通信方法Ｎによる通信が可能となったなら、先に受信していた通信方法Ｍによりポーリング電文をデータとして含む通信方法Ｎによる電文を作成し、通信部２３Ａに送信する（Ｔ１１３）。
【００１７】
通信部２３Ａは、通信方法Ｎにより電文を受信し、電文からデータつまり通信方法Ｍによるポーリング電文を取り出し、通信方法Ｍにより通信部２２に送信する（Ｔ１１５）。
【００１８】
通信部２２は、通信方法Ｍによりポーリング電文を受信し、ポーリング電文をポーリングコマンドに変換し、ポーリングコマンドを情報処理部２１に送信する（Ｔ１１７）。
【００１９】
情報処理部２１は、ポーリングコマンドを受信し、ポーリングコマンドに対する応答コマンド（例えば、肯定応答のコマンド）を作成し、応答コマンドを通信部２２に送信する（Ｔ１１９）。
【００２０】
通信部２２は、応答コマンドを通信方法Ｍによるポーリング電文に対する応答の電文に変換し、通信方法Ｍにより通信部２３Ａに送信する（Ｔ１２１）。
【００２１】
通信部２３Ａは、通信方法Ｍにより電文を受信し、通信方法Ｍによる電文をデータとして含む通信方法Ｎによる電文を生成し、通信方法Ｎにより通信部１３Ａに送信する（Ｔ１２３）。
【００２２】
通信部１３Ａは、通信方法Ｎにより電文を受信し、通信方法Ｎによる電文からデータつまり通信方法Ｍによるポーリング電文に対する応答の電文を取り出し、通信方法Ｍにより通信部１２に送信する（Ｔ１２５）。
【００２３】
通信部１２は、通信方法Ｍにより応答の電文を受信したなら、電文を情報処理部２１が作成した応答コマンドに変換し、情報処理部１１に有線にて送信する（Ｔ１２７）。
【００２４】
例えば、既存の入退室システムや改札システムなどの非接触ＩＣカードを使用したシステムにおいて、非接触ＩＣカードに使用される既存の通信方法だけでなく、新たにＰＡＮ（Ｐｅｒｓｏｎａｌ  Ａｒｅａ  Ｎｅｔｗｏｒｋ）や電界通信等の通信方法も使用できるようにし、さらに既存の通信方法によるポーリング電文は変更せず、あるいは変更を最小限にして、新たな通信方法と同時に使用できるようにすることを考えた場合、下記の実現要件に対応することが必要となる。
【００２５】
１）いずれの通信方法においても、当該通信方法で使用するポーリング電文は、ポーリング電文を受信する通信部まで送信された後、その処理結果を当該通信装置から返信されること。
【００２６】
２）既存の通信部と新たな通信部との間で通信を行う場合、それぞれの通信部から発信されるポーリング電文は受信側の通信部では単なるデータでしかなくポーリング電文であることを認識できない。このため、新たな通信部は，新たな通信方法のポーリング処理の後、新たな通信方法による電文の中にデータとして既存の通信方法によるポーリング電文を含むこととし、当該新たな通信方法のポーリング電文を受信する既存の通信方法を使用する通信部では、電文に含まれる既存の通信方法によるポーリング電文を取り出し、処理を行うこと。
【００２７】
なお、既存の通信方法を使用する装置から新たな通信方法の装置に対してポーリング電文を送信する場合も同様の処理を要する。
【００２８】
前記１），２）の要件を満たすためには，既存の通信方法と比較して、「新たな通信方法によるポーリング処理」と「新たな通信方法によるデータ（既存のポーリング電文とその応答電文）伝送処理」と「通信装置内での既存の通信方法によるポーリング処理」が新たに追加される。
【００２９】
しかし、前記１）、２）の実現要件に対応して新たな処理が追加されることにより新たな処理時間を要し、既存の通信方法で通信を行う場合においては制限時間内に終わっていたポーリング処理が、新たな通信方法と既存の通信方法の通信を行う場合においてはタイムアウトが発生し、制限時間以内にポーリングを終了させることができないという問題が出てくる。このため、新たな通信方法と既存の通信方法の通信を行うために必要な要件のうち，「新たな通信方法によるデータ（既存のポーリング電文とその応答電文）伝送処理」と「通信装置内での既存の通信方法によるポーリング処理」に関する処理時間を短縮する手段を提示し、異なる通信方法を使用する場合の通信におけるタイムアウトを抑制し、制限時間内のポーリング処理完了を実現することが必要である。
【００３０】
本発明は、上記の課題に鑑みてなされたものであり、その目的とするところは、２つの通信方法を使用する通信装置におけるポーリングを早期に終了させることのできる技術を提供することにある。
【課題を解決するための手段】
【００３１】
上記の課題を解決するために、第１の本発明は、第１の通信方法で通信する第１の通信部と第２の通信方法で通信する第２の通信部とを備える通信装置であって、前記第２の通信部は、前記第１の通信方法によるポーリング電文に対する応答の電文である応答電文が予め記憶される応答電文記憶部、前記第２の通信方法によるポーリング電文を外部に送出し、当該ポーリング電文に対する応答の電文を外部から受信したなら、前記第１の通信部から第１の通信方法によるポーリング電文を既に受信しているなら、前記応答電文記憶部から応答電文を読み出す中継処理部を有する第１の中継部と、当該応答電文を前記第１の通信部へ送信する第２の中継部とを備えることを特徴とする通信装置をもって解決手段とする。
【００３２】
第２の本発明は、第１の本発明に係る通信装置とともに使用される通信装置であって、第１の通信方法で通信する第１の通信部と第２の通信方法で通信する第２の通信部とを備え、前記第２の通信部は、前記第１の通信方法によるポーリング電文が予め記憶されるポーリング電文記憶部、前記第２の通信方法によるポーリング電文を外部から受信したなら、当該ポーリング電文に対する応答の電文を外部に送出し、前記ポーリング電文記憶部からポーリング電文を読み出す中継処理部を有する第１の中継部と、当該ポーリング電文を前記第１の通信部へ送信する第２の中継部とを備えることを特徴とする通信装置をもって解決手段とする。
【００３３】
第３の本発明は、第１の通信方法で通信する第１の通信部と第２の通信方法で通信する第２の通信部とを備える通信装置であって、前記第２の通信部は、前記第１の通信方法によるポーリング電文に対する応答の電文である応答電文が予め記憶される応答電文記憶部、前記第２の通信方法で使用される当該通信装置の装置識別子が予め記憶される装置識別子記憶部、前記第１の通信方法で使用される通信相手の装置識別子並びに前記第２の通信方法で使用される当該通信相手の装置識別子を含む装置識別子情報が予め記憶される装置識別子情報記憶部、前記装置識別子記憶部から装置識別子を読み出し、前記第２の通信方法によるポーリング電文を作成し、当該ポーリング電文に当該装置識別子を含ませ、当該装置識別子を含ませたポーリング電文を外部に送出する中継処理部、当該ポーリング電文に対する応答の電文を外部から受信したなら、当該応答の電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記応答電文記憶部から応答電文を読み出し、当該応答電文に、前記装置識別子情報から読み出した装置識別子を含ませる応答電文作成部を有する第１の中継部と、前記第１の通信部から第１の通信方法によるポーリング電文を既に受信している場合において、当該応答電文を前記第１の通信部へ送信する第２の中継部とを備えることを特徴とする通信装置をもって解決手段とする。
【００３４】
第４の本発明は、第３の本発明に係る通信装置とともに使用される通信装置であって、第１の通信方法で通信する第１の通信部と第２の通信方法で通信する第２の通信部とを備え、前記第２の通信部は、前記第１の通信方法によるポーリング電文が予め記憶されるポーリング電文記憶部、前記第２の通信方法で使用される当該通信装置の装置識別子が予め記憶される装置識別子記憶部、前記第１の通信方法で使用される通信相手の装置識別子並びに前記第２の通信方法で使用される当該通信相手の装置識別子を含む装置識別子情報が予め記憶される装置識別子情報記憶部、前記第２の通信方法によるポーリング電文を外部から受信したなら、前記装置識別子記憶部から装置識別子を読み出し、前記第２の通信方法によるポーリング電文に対する応答の電文を作成し、当該応答の電文に当該装置識別子を含ませ、当該装置識別子を含ませた応答の電文を外部に送出する中継処理部、当該ポーリング電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記ポーリング電文記憶部からポーリング電文を読み出し、当該ポーリング電文に、前記装置識別子情報から読み出した装置識別子を含ませるポーリング電文作成部を有する第１の中継部と、当該ポーリング電文を前記第１の通信部へ送信する第２の中継部とを備えることを特徴とする通信装置をもって解決手段とする。
【００３５】
第５の本発明は、第１の通信方法で通信する第１の通信部と第２の通信方法で通信する第２の通信部とを備える通信装置の動作方法であって、前記第２の通信部は、前記第１の通信方法によるポーリング電文に対する応答の電文である応答電文が予め記憶される応答電文記憶部を備え、前記動作方法は、前記第２の通信部が、前記第２の通信方法によるポーリング電文を外部に送出し、当該ポーリング電文に対する応答の電文を外部から受信したなら、前記第１の通信部から第１の通信方法によるポーリング電文を既に受信しているなら、前記応答電文記憶部から応答電文を読み出し、前記第１の通信部へ送信することを特徴とする通信装置の動作方法をもって解決手段とする。
【００３６】
第６の本発明は、第１の本発明に係る通信装置とともに使用される通信装置の動作方法であって、当該通信装置は、第１の通信方法で通信する第１の通信部と第２の通信方法で通信する第２の通信部とを備え、前記第２の通信部は、前記第１の通信方法によるポーリング電文が予め記憶されるポーリング電文記憶部を備え、前記動作方法は、前記第２の通信部が、前記第２の通信方法によるポーリング電文を外部から受信したなら、当該ポーリング電文に対する応答の電文を外部に送出し、前記ポーリング電文記憶部からポーリング電文を読み出し、前記第１の通信部へ送信することを特徴とする通信装置の動作方法をもって解決手段とする。
【００３７】
第７の本発明は、第１の通信方法で通信する第１の通信部と第２の通信方法で通信する第２の通信部とを備える通信装置の動作方法であって、前記第２の通信部は、前記第１の通信方法によるポーリング電文に対する応答の電文である応答電文が予め記憶される応答電文記憶部、前記第２の通信方法で使用される当該通信装置の装置識別子が予め記憶される装置識別子記憶部、前記第１の通信方法で使用される通信相手の装置識別子並びに前記第２の通信方法で使用される当該通信相手の装置識別子を含む装置識別子情報が予め記憶される装置識別子情報記憶部を有し、前記動作方法は、前記第２の通信部が、前記装置識別子記憶部から装置識別子を読み出し、前記第２の通信方法によるポーリング電文を作成し、当該ポーリング電文に当該装置識別子を含ませ、当該装置識別子を含ませたポーリング電文を外部に送出し、前記第２の通信部が、当該ポーリング電文に対する応答の電文を外部から受信したなら、当該応答の電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記応答電文記憶部から応答電文を読み出し、当該応答電文に、前記装置識別子情報から読み出した装置識別子を含ませ、前記第２の通信部が、前記第１の通信部から第１の通信方法によるポーリング電文を既に受信している場合において、当該応答電文を前記第１の通信部へ送信することを特徴とする通信装置の動作方法をもって解決手段とする。
【００３８】
第８の本発明は、第３の本発明に係る通信装置とともに使用される通信装置の動作方法であって、当該通信装置は、第１の通信方法で通信する第１の通信部と第２の通信方法で通信する第２の通信部とを備え、前記第２の通信部は、前記第１の通信方法によるポーリング電文が予め記憶されるポーリング電文記憶部、前記第２の通信方法で使用される当該通信装置の装置識別子が予め記憶される装置識別子記憶部、前記第１の通信方法で使用される通信相手の装置識別子並びに前記第２の通信方法で使用される当該通信相手の装置識別子を含む装置識別子情報が予め記憶される装置識別子情報記憶部を有し、前記動作方法は、前記第２の通信部が、前記第２の通信方法によるポーリング電文を外部から受信したなら、前記装置識別子記憶部から装置識別子を読み出し、前記第２の通信方法によるポーリング電文に対する応答の電文を作成し、当該応答の電文に当該装置識別子を含ませ、当該装置識別子を含ませた応答の電文を外部に送出し、前記第２の通信部が、当該ポーリング電文に含まれる装置識別子を読み出し、当該装置識別子と同じ装置識別子を含む装置識別子情報を前記装置識別子情報記憶部から検索し、当該装置識別子情報から前記第１の通信方法で使用される装置識別子を読み出し、前記ポーリング電文記憶部からポーリング電文を読み出し、当該ポーリング電文に、前記装置識別子情報から読み出した装置識別子を含ませ、前記第２の通信部が、当該ポーリング電文を前記第１の通信部へ送信することを特徴とする通信装置の動作方法をもって解決手段とする。
【発明の効果】
【００３９】
本発明によれば、２つの通信方法を使用する通信装置におけるポーリングを早期に終了させることのできる技術を提供することができる。
【図面の簡単な説明】
【００４０】
【図１】第１の実施の形態に係る通信システムの構成図である。
【図２】第１の実施の形態における中継部１３２、２３２の構成図である。
【図３】第１の実施の形態における通信部１３における処理の流れを示すフローチャートである。
【図４】第１の実施の形態における通信部２３における処理の流れを示すフローチャートである。
【図５】第１の実施の形態における通信システムの動作の一例を示すシーケンス図である。
【図６】第１の実施の形態における通信システムの動作の別な一例を示すシーケンス図である。
【図７】第２の実施の形態における中継部１３２、２３２の構成図である。
【図８】第２の実施の形態における通信部１３における処理の流れを示すフローチャートである。
【図９】第２の実施の形態における通信部２３における処理の流れを示すフローチャートである。
【図１０】従来の通信システムの動作を示すシーケンス図であり、通信装置１Ａ、２の間の距離が長く通信範囲外の場合の様子を示すものである。
【図１１】従来の通信システムの動作を示すシーケンス図であり、通信装置１Ａ、２の間の距離が短く通信範囲内の場合の様子を示すものである。
【発明を実施するための形態】
【００４１】
以下、本発明の実施の形態について図面を参照して説明する。
【００４２】
［第１の実施の形態］
図１は、第１の実施の形態に係る通信システムの構成図である。
【００４３】
通信装置１は、通信装置２内の情報を用いて情報処理を行う情報処理部１１と、情報処理部１１と有線で接続された通信部１２と、通信方法Ｍ（例えば、非接触カードに使用される）によって通信部１２と通信し、通信装置２とは通信方法Ｎ（例えば、電界通信）によって通信する通信部１３を備える。
【００４４】
通信部１３は、通信装置１に新たに設けられたものであり、通信部１３が設けられる前の通信装置１は通信装置２と、つまり、通信部１２は、通信方法Ｍによって、通信装置２と通信していた。
【００４５】
しかし、通信部１３が設けられてからは、通信装置１は通信装置２と、つまり、通信部１３は、新たな通信方法、つまり、通信方法Ｍとは異なる通信方法Ｎで、通信装置２と通信する。
【００４６】
通信部１３は、通信方法Ｍによって通信部１２と通信する中継部１３１と、中継部１３１と有線で接続され、通信方法Ｎで通信装置２と通信する中継部１３２とを備える。
【００４７】
通信装置２は、通信装置１にとって必要な情報を有する情報処理部２１と、情報処理部２１と有線で接続された通信部２２と、通信方法Ｍによって通信部２２と通信し、通信装置１とは通信方法Ｎによって通信する通信部２３を備える。
【００４８】
通信部２３は、通信装置２に新たに設けられたものであり、通信部２３が設けられる前の通信装置２は通信装置１と、つまり、通信部２２は、通信方法Ｍによって、通信装置１と通信していた。
【００４９】
しかし、通信部２３が設けられてからは、通信装置２は通信装置１と、つまり、通信部２３は、通信方法Ｎで、通信装置２と通信する。
【００５０】
通信部２３は、通信方法Ｍによって通信部２２と通信する中継部２３１と、中継部２３１と有線で接続され、通信方法Ｎで通信装置１（つまり通信装置１の中継部１３２）と通信する中継部２３２とを備える。
【００５１】
図２は、第１の実施の形態における中継部１３２、２３２の構成図である。
【００５２】
中継部１３２は、予め中継部１３２に記憶された電文（後述の応答電文ＭＲ）を通信部１２に送信する中継処理部１３２１と、通信部１２から通信部１３の中継部１３１に送信される通信方法Ｍによるポーリング電文に対する肯定応答つまり通信方法Ｍによる応答電文ＭＲが記憶された応答電文記憶部１３２２とを備える。
【００５３】
図示しないが、中継部１３２には、通信部１２からポーリング電文の送信が既にあったか否かによらずポーリング電文を送出すべき場合には、その旨の設定情報（以下、設定情報ＡＵＴＯという）が記憶される。
【００５４】
中継部２３２は、予め中継部２３２に記憶されたポーリング電文（後述のポーリング電文）を通信部２２に送信する中継処理部２３２１と、通信部１２から通信部１３の中継部１３１に送信される通信方法Ｍによるポーリング電文と同じポーリング電文ＭＰが記憶されたポーリング電文記憶部２３２２とを備える。
【００５５】
図３は、第１の実施の形態における通信部１３における処理の流れを示すフローチャートである。
【００５６】
通信部１３は、設定情報ＡＵＴＯがあるか否かを判定する（Ｓ１）。通信部１３は、設定情報ＡＵＴＯがないなら（Ｓ１：ＮＯ）、通信部１２からポーリング電文の送信が既にあったか否かを判定し（Ｓ３）、送信がなければ、ステップＳ３へ戻る。
【００５７】
通信部１３の中継部１３２の中継処理部１３２１は、通信部１２からポーリング電文の送信が既にあったなら（Ｓ３：ＹＥＳ）、または、設定情報ＡＵＴＯがある（Ｓ１：ＹＥＳ）なら、通信方法Ｎによるポーリング電文を作成し、通信方法Ｎにより外部に送出する（Ｓ５）。
【００５８】
次に、中継部１３２は、ポーリング電文に対する応答の電文を受信したか否かを判定する（Ｓ７）。中継部１３２は、応答の電文を受信していないと判定したら（Ｓ７：ＮＯ）、タイムアウト（ステップＳ５の時刻から所定の時間が経過した）か否かを判定し（Ｓ９）、タイムアウトでないなら、ステップＳ７へ戻り、タイムアウトなら、ステップＳ１１へ進む。
【００５９】
ステップＳ１１では、中継部１３２は、ポーリング電文の送信回数が予め設定された規定回数より多いか否かを判定し、規定回数より多いならステップＳ１へ戻り、超えていないなら、ステップＳ５へ戻る。
【００６０】
通信部１３は、応答の電文を受信したなら（Ｓ７：ＹＥＳ）、それが肯定応答の電文であることを条件に、設定情報ＡＵＴＯがあるか否かを判定する（Ｓ２１）。
【００６１】
通信部１３は、設定情報ＡＵＴＯがあるなら（Ｓ２１：ＹＥＳ）、通信部１２からのポーリング電文の送信が既にあったか否かを判定し（Ｓ２３）、送信が未だないならば、ステップＳ２３へ戻る。
【００６２】
通信部１３の中継部１３２の中継処理部１３２１は、通信部１２からのポーリング電文の送信が既にあった（Ｓ２３：ＹＥＳ）なら、または、設定情報ＡＵＴＯがない（Ｓ２１：ＮＯ）なら、応答電文記憶部１３２２から応答電文ＭＲを読み出し、有線にて中継部１３１に送信する（Ｓ２５）。
【００６３】
中継部１３１は、応答電文ＭＲを通信方法Ｍにより通信部１２に送信し（Ｓ２７）、ステップＳ１に戻る。
【００６４】
図４は、第１の実施の形態における通信部２３における処理の流れを示すフローチャートである。
【００６５】
通信部２３の中継部２３２の中継処理部２３２１は、通信方法Ｎによるポーリング電文を外部から受信した（Ｓ１０１）なら、ポーリング電文に対する応答の電文を作成し、応答の電文を通信方法Ｎにより外部に送出する（Ｓ１０３）。
【００６６】
また、中継部２３２の中継処理部２３２１は、ポーリング電文記憶部２３２２からポーリング電文ＭＰを読み出し、有線にて中継部２３１に送信し、中継部２３１は、ポーリング電文ＭＰを通信方法Ｍにより通信部２２に送信する（Ｓ１１１）。
【００６７】
次に、通信部２３は、通信部２２から応答電文ＭＲと同じ応答の電文を受信したか否かを判定する（Ｓ１１３）。通信部２３は、応答の電文を受信していないと判定したら（Ｓ１１３：ＮＯ）、タイムアウト（ステップＳ１１１の時刻から所定の時間が経過した）か否かを判定し（Ｓ１１５）、タイムアウトでないなら、ステップＳ１１３へ戻り、タイムアウトなら、ステップＳ１１７へ進む。
【００６８】
ステップＳ１１７では、通信部２３は、ポーリング電文ＭＰの送信回数が予め設定された規定回数より多いか否かを判定し、超えていないなら、ステップＳ１１１へ戻る。
【００６９】
通信部２３の中継部２３２は、規定回数より多いなら、ポーリング電文ＭＰに対する否定応答の電文を作成し、電文を通信方法Ｎにより外部に送出し（Ｓ１１９）、処理が終了する。
【００７０】
中継部２３２は、応答の電文を受信したなら（Ｓ１１３：ＹＥＳ）、応答の電文を廃棄し（Ｓ１２１）、処理が終了する。
【００７１】
図示しないが、通信装置１は、ステップＳ１１９で送出される電文を受信したら、例えば、実行中のポーリングや通信を途中で中止する。
【００７２】
図５は、第１の実施の形態における通信システムの動作の一例を示すシーケンス図である。
【００７３】
図５は、通信装置１、２が互いに近づき、通信が開始される様子を示すものである。
【００７４】
通信部１３は、通信装置１が起動されると、設定情報ＡＵＴＯがあるなら、通信方法Ｎによるポーリング電文を外部に送出する（Ｔ１）。
【００７５】
通信装置１、２の間の距離が長いと、通信部１３からの通信方法Ｎによるポーリング電文は通信装置２に届かず、通信部１３は、タイムアウトとポーリング電文の送信を繰り返す。
【００７６】
情報処理部１１は、通信装置１が起動されると、通信部１２に有線にてポーリングコマンドを送信し（Ｔ２）、通信部１２は、ポーリングコマンドを受信したら、通信方法Ｍによるポーリング電文を作成し、通信部１３に送信する（Ｔ３）。
【００７７】
通信部１２も、通信部１３から応答の電文を受信しないので、タイムアウトと通信方法Ｍによるポーリング電文の送信を繰り返す。
【００７８】
情報処理部１１については、ここでは、タイムアウトとなるような設定がなされていないこととする。よって、情報処理部１１は、ポーリングコマンドに対する応答を待機する。
【００７９】
通信装置１、２が互いに近づき、通信部２３の中継部２３２は、通信部１３からの通信方法Ｎによるポーリング電文が受信されたら、ポーリング電文に対する応答の電文を作成し、応答の電文を通信方法Ｎにより外部に送出する（Ｔ１１）。
【００８０】
通信部１３の中継部１３２は、通信方法Ｎにより応答の電文を受信し、通信部１２からポーリング電文を既に受信しているので、応答電文ＭＲを読み出し、有線にて中継部１３１に送信し、中継部１３１は、応答電文ＭＲを通信方法Ｍにより通信部１２に送信する（Ｔ１３）。
【００８１】
通信部１２は、通信方法Ｍにより応答電文ＭＲを受信し、応答電文ＭＲを応答コマンドに変換し、情報処理部１１に有線にて送信する（Ｔ１５）。
【００８２】
一方、通信部２３の中継部２３２は、通信部１３からの通信方法Ｎによるポーリング電文が受信されたら、ポーリング電文ＭＰを読み出し、有線にて中継部２３１に送信し、中継部２３１は、ポーリング電文ＭＰを通信方法Ｍにより通信部２２に送信する（Ｔ２１）。
【００８３】
通信部２２は、通信方法Ｍによりポーリング電文ＭＰを受信し、ポーリング電文ＭＰをポーリングコマンドに変換し、ポーリングコマンドを情報処理部２１に送信する（Ｔ２３）。
【００８４】
情報処理部２１は、ポーリングコマンドを受信し、ポーリングコマンドに対する応答コマンド（例えば、肯定応答のコマンド）を作成し、有線にて応答コマンドを通信部２２に送信する（Ｔ２５）。
【００８５】
通信部２２は、応答コマンドをポーリング電文ＭＰに対する応答の電文つまり応答電文ＭＲと同じ応答の電文に変換し、通信方法Ｍにより通信部２３の中継部２３１に送信し（Ｔ２７）、電文は通信部２３にて廃棄される。
【００８６】
図６は、第１の実施の形態における通信システムの動作の別な一例を示すシーケンス図である。
【００８７】
図６は、通信装置１、２が互いに近づき、通信が開始される様子を示すものである。
【００８８】
通信部１３は、通信装置１が起動されると、設定情報ＡＵＴＯがないなら、ポーリング電文が送信される（Ｔ３）のを待機する。つまり、通信部１３は、情報処理部１１から通信部１２にポーリングコマンドが送信され（Ｔ２）、通信部１２から通信部１３にポーリング電文が送信される（Ｔ３）のを待機する。
【００８９】
通信部１３は、ポーリング電文を受信した（Ｔ３）ら、通信方法Ｎによるポーリング電文を外部に送出する（Ｔ１）。
【００９０】
通信装置１、２の間の距離が長いと、通信部１３からの通信方法Ｎによるポーリング電文は通信装置２に届かず、通信部１３は、タイムアウトとポーリング電文の送信を繰り返す。
【００９１】
通信部１２も、通信部１３から通信部１２に応答の電文が送信されないので、タイムアウトと通信方法Ｍによるポーリング電文の送信を繰り返す。
【００９２】
情報処理部１１については、ここでは、タイムアウトとなるような設定がなされていないこととする。よって、情報処理部１１は、ポーリングコマンドに対する応答コマンドを待機する。
【００９３】
通信装置１、２が互いに近づき、通信部２３の中継部２３２は、通信部１３からの通信方法Ｎによるポーリング電文が受信されたら、ポーリング電文に対する応答の電文を作成し、応答の電文を通信方法Ｎにより外部に送出する（Ｔ１１）。
【００９４】
通信部１３の中継部１３２は、通信方法Ｎにより応答の電文を受信したなら、応答電文ＭＲを読み出し、有線にて中継部１３１に送信し、中継部１３１は、応答電文ＭＲを通信方法Ｍにより通信部１２に送信する（Ｔ１３）。
【００９５】
以下、図５の例と同様であるので、説明を省略する。
【００９６】
こうして、第１の実施の形態では、情報処理部１１、２１間のポーリングが終了し、その期間においては、通信部１２、２２間のポーリング、および、通信部１３、２３間のポーリングも終了する。
【００９７】
なお、情報処理部１１は、応答コマンドが肯定応答を示すものなら、同様のシーケンスで、通信部１２、通信部１３、通信部２３、通信部２２を介して、情報処理部２１に対し通信を行い、通信が終了したなら、通信部１２にポーリングコマンドを送信し、応答コマンドが肯定応答を示すまで、これを繰り返す。
【００９８】
情報処理部１１は、応答コマンドが否定応答を示すものであった場合でも、通信部１２にポーリングコマンドを送信し、応答コマンドが肯定応答を示すまで、これを繰り返す。
【００９９】
したがって、第１の実施の形態によれば、通信方法Ｎによる応答の電文を受信したなら（Ｔ１１）、事前に通信方法Ｍによる応答電文ＭＲを送信し（Ｔ１３）、これにより、情報処理部１１へ応答コマンドが事前に送信される（Ｔ１５）ので、ポーリングを早期に終了させることができる。
【０１００】
つまり、通信部１３が、通信方法Ｎによるポーリング電文を外部に送出し（Ｓ５、Ｔ１）、当該ポーリング電文に対する応答の電文を外部から受信したなら（Ｓ７：ＹＥＳ）、通信部１２から通信方法Ｍによるポーリング電文を既に受信しているなら（Ｓ３：Ｓ２３：ＹＥＳ）、応答電文記憶部１３２２から応答電文を読み出し、通信部１２へ送信する。
【０１０１】
そして、通信部２３が、通信方法Ｎによるポーリング電文を外部から受信したなら、当該ポーリング電文に対する応答の電文を外部に送出し（Ｓ１０３、Ｔ１１）、ポーリング電文記憶部２３２２からポーリング電文を読み出し、通信部２２へ送信する。
【０１０２】
これにより、第１の実施の形態においては、ポーリングを早期に終了させることができる。
【０１０３】
［第２の実施の形態］
次に、本発明の第２の実施の形態について説明する。第２の実施の形態では、第１の実施の形態に同一または類似の装置および装置構成を用い、かかるもののについては第１の実施の形態で使用した符号を使用して重複説明を略し、第１の実施の形態とは異なる事項を中心に説明を行う。
【０１０４】
図７は、第２の実施の形態における中継部１３２、２３２の構成図である。
【０１０５】
中継部１３２は、中継処理部１３２１と、応答電文記憶部１３２２と、応答電文作成部１３２３と、装置識別子記憶部１３２４と、装置識別子情報記憶部１３２５とを備える。
【０１０６】
装置識別子記憶部１３２４は、通信方法Ｎで使用される通信装置１の装置識別子Ｎ１を記憶している。
【０１０７】
装置識別子情報記憶部１３２５は、装置識別子Ｎ２並びに通信方法Ｍで使用される通信装置２の装置識別子Ｍ２を含む装置識別子情報を記憶している。また、装置識別子情報記憶部１３２５は、通信装置２以外にも通信する可能性のある通信装置に関する装置識別子情報を記憶している。
【０１０８】
中継部２３２は、中継処理部２３２１と、ポーリング電文記憶部２３２２と、ポーリング電文作成部２３２３と、装置識別子記憶部２３２４と、装置識別子情報記憶部２３２５とを備える。
【０１０９】
装置識別子記憶部２３２４は、通信方法Ｎで使用される通信装置２の装置識別子Ｎ２を記憶している。
【０１１０】
装置識別子情報記憶部２３２５は、装置識別子Ｎ１並びに通信方法Ｍで使用される通信装置１の装置識別子Ｍ１を含む装置識別子情報を記憶している。また、装置識別子情報記憶部２３２５は、通信装置１以外にも通信する可能性のある通信装置に関する装置識別子情報を記憶している。
【０１１１】
図８は、第２の実施の形態における通信部１３における処理の流れを示すフローチャートである。図８においては、図３におけるステップと同一のステップには同一の符号を使用する。
【０１１２】
ステップＳ１〜Ｓ３については、図３におけるステップと同一であるから、説明を省略する。
【０１１３】
通信部１３の中継部１３２の中継処理部１３２１は、通信部１２からポーリング電文の送信が既にあったなら（Ｓ３：ＹＥＳ）、または、設定情報ＡＵＴＯがある（Ｓ１：ＹＥＳ）なら、装置識別子記憶部１３２４から装置識別子Ｎ１を読み出し、通信方法Ｎによるポーリング電文を作成し、ポーリング電文に装置識別子Ｎ１を含ませ、装置識別子Ｎ１を含ませたポーリング電文を通信方法Ｎにより外部に送出する（Ｓ５ａ）。
【０１１４】
ステップＳ７〜Ｓ１１については、図３におけるステップと同一であるから、説明を省略する。
【０１１５】
中継処理部１３２１は、応答の電文を受信したなら（Ｓ７：ＹＥＳ）、それが肯定応答の電文であることを条件に、応答の電文を応答電文作成部１３２３へ転送する（Ｓ１３）。
【０１１６】
応答電文作成部１３２３は、応答の電文に含まれる装置識別子（例えば、装置識別子Ｎ２）を読み出し、これと同じ装置識別子を含む装置識別子情報を装置識別子情報記憶部１３２５から検索し、この装置識別子情報から、通信方法Ｍで使用される装置識別子（例えば、装置識別子Ｍ２）を読み出す（Ｓ１５）。
【０１１７】
次に、応答電文作成部１３２３は、応答電文記憶部１３２２から応答電文ＭＲを読み出し、応答電文ＭＲに、ステップＳ１５で読み出した装置識別子（例えば、装置識別子Ｍ２）を含ませる（Ｓ１７）。
【０１１８】
次に、通信部１３は、設定情報ＡＵＴＯがあるか否かを判定する（Ｓ２１）。
【０１１９】
通信部１３は、設定情報ＡＵＴＯがないなら（Ｓ２１：ＮＯ）、通信部１２からのポーリング電文の送信が既にあったか否かを判定し（Ｓ２３）、送信が未だないならば、ステップＳ２３へ戻る。
【０１２０】
通信部１３の中継部１３２の中継処理部１３２１は、通信部１２からのポーリング電文の送信が既にあったなら（Ｓ２３：ＹＥＳ）、または、設定情報ＡＵＴＯがある（Ｓ２１：ＹＥＳ）なら、装置識別子（例えば、装置識別子Ｍ２）を含んだ応答電文ＭＲを有線にて中継部１３１に送信する（Ｓ２５）。
【０１２１】
中継部１３１は、応答電文ＭＲを通信方法Ｍにより通信部１２に送信し（Ｓ２７）、ステップＳ１に戻る。
【０１２２】
図９は、第２の実施の形態における通信部２３における処理の流れを示すフローチャートである。図９においては、図４におけるステップと同一のステップには同一の符号を使用する。
【０１２３】
通信部２３の中継部２３２の中継処理部２３２１は、通信方法Ｎによるポーリング電文を外部から受信した（Ｓ１０１）なら、装置識別子記憶部２３２４から装置識別子Ｎ２を読み出し、通信方法Ｎによる応答の電文を作成し、応答の電文に装置識別子Ｎ２を含ませ、装置識別子Ｎ２を含ませた応答の電文を通信方法Ｎにより外部に送出する（Ｓ１０３ａ）。
【０１２４】
また、中継処理部２３２１は、通信方法Ｎによるポーリング電文を外部から受信した（Ｓ１０１）なら、ポーリング電文をポーリング電文作成部２３２３へ転送する（Ｓ１０５）。
【０１２５】
ポーリング電文作成部２３２３は、ポーリング電文に含まれる装置識別子（例えば、装置識別子Ｎ１）を読み出し、これと同じ装置識別子を含む装置識別子情報を装置識別子情報記憶部２３２５から検索し、この装置識別子情報から、通信方法Ｍで使用される装置識別子（例えば、装置識別子Ｍ１）を読み出す（Ｓ１０７）。
【０１２６】
次に、ポーリング電文作成部２３２３は、ポーリング電文記憶部２３２２からポーリング電文ＭＰを読み出し、ポーリング電文ＭＰに、ステップＳ１０７で読み出した装置識別子（例えば、装置識別子Ｍ１）を含ませる（Ｓ１０９）。
【０１２７】
中継部２３２の中継処理部２３２１は、装置識別子（例えば、装置識別子Ｍ１）を含むポーリング電文ＭＰを有線にて中継部２３１に送信し、中継部２３１は、ポーリング電文ＭＰを通信方法Ｍにより通信部２２に送信する（Ｓ１１１）。
【０１２８】
ステップＳ１１３〜Ｓ１２１については、図４におけるステップと同一であるから、説明を省略する。
【０１２９】
次に、図５を援用し、第２の実施の形態における通信システムの動作の一例を説明する。
【０１３０】
通信部１３は、通信装置１が起動されると、設定情報ＡＵＴＯがあるなら、装置識別子Ｎ１を含むポーリング電文を外部に送出する（Ｔ１）。
【０１３１】
ポーリング電文が通信装置２に届かないと、通信部１３は、タイムアウトとポーリング電文の送信を繰り返す。
【０１３２】
情報処理部１１は、通信装置１が起動されると、通信部１２にポーリングコマンドを送信し（Ｔ２）、通信部１２は、通信方法Ｍによるポーリング電文を作成し、通信部１３に送信する（Ｔ３）。
【０１３３】
通信部１２も、通信部１３から応答の電文が送信されないので、タイムアウトとポーリング電文の送信を繰り返す。
【０１３４】
情報処理部１１は、タイムアウトとなるような設定がなされていないので、ポーリングコマンドに対する応答コマンドを待機する。
【０１３５】
通信部２３の中継部２３２は、通信部１３からのポーリング電文が受信されたら、装置識別子Ｎ２を含む応答の電文を作成し、応答の電文を通信方法Ｎにより外部に送出する（Ｔ１１）。
【０１３６】
通信部１３の中継部１３２は、通信方法Ｎにより電文を受信し、通信部１２からポーリング電文を既に受信しているので、応答の電文から装置識別子Ｎ２を読み出し、これと同じ装置識別子を含む装置識別子情報を検索し、この装置識別子情報から、通信方法Ｍで使用される装置識別子Ｍ２を読み出し、応答電文ＭＲを読み出し、応答電文ＭＲに装置識別子Ｍ２を含ませ、中継部１３１に送信し、中継部１３１は、応答電文ＭＲを通信部１２に送信する（Ｔ１３）。
【０１３７】
通信部１２は、応答電文ＭＲを受信し、応答電文ＭＲを、装置識別子Ｍ２を含んだまま応答コマンドに変換し、情報処理部１１に送信する（Ｔ１５）。
【０１３８】
ここで、情報処理部１１は、応答コマンドから装置識別子Ｍ２を読み出し、例えば、装置識別子Ｍ２によるいわゆる認証のような、装置識別子Ｍ２に応じた処理を行うことができる。
【０１３９】
一方、通信部２３の中継部２３２は、通信部１３からの、装置識別子Ｎ１を含むポーリング電文が受信されたら、装置識別子Ｎ１を読み出し、これと同じ装置識別子を含む装置識別子情報を検索し、この装置識別子情報から装置識別子Ｍ１を読み出し、ポーリング電文ＭＰを読み出し、ポーリング電文ＭＰに装置識別子Ｍ１を含ませ、中継部２３１に送信し、中継部２３１は、装置識別子Ｍ１を含むポーリング電文ＭＰを通信部２２に送信する（Ｔ２１）。
【０１４０】
通信部２２は、ポーリング電文ＭＰを受信し、ポーリング電文ＭＰを、装置識別子Ｍ１を含んだままポーリングコマンドに変換し、情報処理部２１に送信する（Ｔ２３）。
【０１４１】
情報処理部２１は、ポーリングコマンドを受信し、ポーリングコマンドに対する応答コマンド（例えば、肯定応答のコマンド）を作成し、有線にて応答コマンドを通信部２２に送信する（Ｔ２５）。
【０１４２】
ここで、情報処理部２１は、ポーリングコマンドから装置識別子Ｍ１を読み出し、例えば、装置識別子Ｍ１によるいわゆる認証を行い、認証結果に基づいて、応答コマンドを肯定応答のコマンドとするか否定応答のコマンドとするかを決定する処理のような、装置識別子Ｍ１に応じた処理を行うことができる。
【０１４３】
通信部２２は、情報処理部２１からの応答コマンドをポーリング電文ＭＰに対する応答の電文つまり応答電文ＭＲと同じ応答の電文に変換し、通信部２３の中継部２３１に送信し（Ｔ２７）、電文は通信部２３にて廃棄される。
【０１４４】
次に、図６を援用し、第２の実施の形態における通信システムの動作の別な一例を説明する。
【０１４５】
通信部１３は、通信装置１が起動されると、設定情報ＡＵＴＯがないなら、通信部１２からポーリング電文が送信される（Ｔ３）のを待機する。
【０１４６】
通信部１３は、ポーリング電文を受信した（Ｔ３）ら、装置識別子Ｎ１を含むポーリング電文を外部に送出する（Ｔ１）。
【０１４７】
ポーリング電文が通信装置２に届かないと、通信部１３は、タイムアウトとポーリング電文の送信を繰り返す。
【０１４８】
通信部１２も、通信部１３から応答の電文が送信されないので、タイムアウトとポーリング電文の送信を繰り返す。
【０１４９】
情報処理部１１は、タイムアウトとなるような設定がなされていないので、ポーリングコマンドに対する応答コマンドを待機する。
【０１５０】
通信部２３の中継部２３２は、通信部１３からのポーリング電文が受信されたら、装置識別子Ｎ２を含む応答の電文を作成し、応答の電文を通信方法Ｎにより外部に送出する（Ｔ１１）。
【０１５１】
ステップＳ１３〜Ｓ２７については、図５を援用して説明したステップと同一であるから、説明を省略する。
【０１５２】
したがって、第２の実施の形態によれば、各通信装置１、２は、装置識別子により、相手が通信装置２、１であることを認識でき、相手に応じた処理を行うことができる。
【０１５３】
つまり、通信部１３が、装置識別子記憶部１３２２から装置識別子を読み出し、通信方法Ｎによるポーリング電文を作成し、ポーリング電文に装置識別子を含ませ、ポーリング電文を外部に送出し（Ｓ５ａ、Ｔ１）、通信部１３が、ポーリング電文に対する応答の電文を外部から受信したなら（Ｓ７：ＹＥＳ）、応答の電文に含まれる装置識別子を読み出し、同じ装置識別子を含む装置識別子情報を装置識別子情報記憶部１３２５から検索し、装置識別子情報から通信方法Ｍで使用される装置識別子を読み出し（Ｓ１５）、応答電文記憶部１３２２から応答電文を読み出し、応答電文に装置識別子を含ませ（Ｓ１７）、通信部１２から通信方法Ｎによるポーリング電文が既に送信されている（Ｓ３：Ｓ２３：ＹＥＳ）場合において、応答電文を通信部１２へ送信する（Ｓ２７）。
【０１５４】
また、通信部２３が、通信方法Ｎによるポーリング電文を外部から受信したなら、装置識別子記憶部２３２４から装置識別子を読み出し、通信方法Ｎによるポーリング電文に対する応答の電文を作成し、応答の電文に装置識別子を含ませ、外部に送出し（Ｓ１１１、Ｔ１１）、通信部２３が、ポーリング電文に含まれる装置識別子を読み出し、同じ装置識別子を含む装置識別子情報を装置識別子情報記憶部２３２５から検索し、通信方法Ｍで使用される装置識別子を読み出し（Ｓ１０７）、ポーリング電文記憶部２３２２からポーリング電文を読み出し、ポーリング電文に装置識別子を含ませ（Ｓ１０９）、通信部２３が、ポーリング電文を通信部２２へ送信する（Ｓ１１１ａ）。
【０１５５】
これにより、第２の実施の形態においては、ポーリングを早期に終了させることができ、通信相手を認識することができる。
【０１５６】
なお、本実施の形態では、通信方法を例として説明を行ったが、各通信方法は、有線を用いて行うものであってもよい。
【０１５７】
なお、本実施の形態に係る通信装置１や通信装置２の動作方法を装置に実行させるためのコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１５８】
１、２…通信装置
１１、２１…情報処理部
１２、１３、２２、２３…通信部
１３１、１３２、２３１、２３２…中継部
１３２１、２３２１…中継処理部
１３２２…応答電文記憶部
１３２３…応答電文作成部
１３２４、２３２４…装置識別子記憶部
１３２５、２３２５…装置識別子情報記憶部
２３２２…ポーリング電文記憶部
２３２３…ポーリング電文作成部
【図１】
0005385889.tif 000002
【図２】
0005385889.tif 000003
【図３】
0005385889.tif 000004
【図４】
0005385889.tif 000005
【図５】
0005385889.tif 000006
【図６】
0005385889.tif 000007
【図７】
0005385889.tif 000008
【図８】
0005385889.tif 000009
【図９】
0005385889.tif 000010
【図１０】
0005385889.tif 000011
【図１１】
0005385889.tif 000012